(57)【要約】【課題】  ケーブル間の電気的な影響を少ない手間で低減するケーブルホルダ及びそれを用いたプリンタを提供する。【解決手段】  本発明に係るケーブルホルダは、板状に延びる本体と、前記本体に設けられ、複数のケーブルを分離して平行に支持する支持部と、を備える。電気的な影響が大きいケーブルを互いに分離して平行に支持させることにより、複数のケーブル間の電気的な影響を低減する。また、ケーブルホルダが一部材で形成されているため取り付ける作業が一度で済み、ケーブルホルダの取り付けの手間が少なくて済む。また、支持部が設けられているため作業者は支持部に支持させる作業を行えばよく、作業の手間を低減できる。【選択図】  図１
2005125559.tif 000002
【特許請求の範囲】
【請求項１】
板状に延びる本体と、
前記本体に設けられ、複数のケーブルを分離して平行に支持する支持部と、
を備えることを特徴とするケーブルホルダ。
【請求項２】
請求項１に記載のケーブルホルダと、
印刷媒体に画像を形成する記録ヘッドと、
前記記録ヘッドを搭載するキャリッジと、
前記キャリッジを摺動可能に支持する摺動軸と、
前記摺動軸の軸方向に交差する方向の一方の側に配置される制御回路と、
他方の側に配置される電源部と、
一端が前記他方の側から前記記録ヘッドに接続され、他端が前記制御回路に接続されている第一のフレキシブルフラットケーブルと、
前記電源部と前記制御回路とを接続する電源ケーブルと、
を備え、前記ケーブルホルダは、前記第一のフレキシブルフラットケーブルと前記電源ケーブルとを分離して支持することを特徴とするプリンタ。
【請求項３】
前記制御回路は、リムーバブルメモリを読み書きするカード読み書き部が一体に設けられていることを特徴とする請求項２に記載のプリンタ。
【請求項４】
前記他方の側に配置され、前記キャリッジを搬送するキャリッジモータと、
前記キャリッジモータと前記制御回路とを接続する第一の接続ケーブルと、
を更に備え、前記ケーブルホルダは、前記第一の接続ケーブルを、前記第一のフレキシブルフラットケーブル及び前記電源ケーブルと分離して支持することを特徴とする請求項２又は３に記載のプリンタ。
【請求項５】
印刷媒体を搬送するための紙送りローラと、
前記他方の側に配置され、前記紙送りローラを回転させる紙送りモータと、
前記紙送りモータと前記制御回路とを接続する第二の接続ケーブルと、
を更に備え、前記ケーブルホルダは、前記第二の接続ケーブルを、前記第一のフレキシブルフラットケーブル及び前記電源ケーブルと分離して支持することを特徴とする請求項２、３又は４に記載のプリンタ。
【請求項６】
前記紙送りモータによって搬送される印刷媒体の送り量を検出するエンコーダと、
前記エンコーダと前記制御回路とを接続する第二のフレキシブルフラットケーブルと、
を更に備え、前記ケーブルホルダは、前記第二のフレキシブルフラットケーブルを、他のケーブルと分離して支持することを特徴とする請求項５に記載のプリンタ。
【請求項７】
前記他方の側に配置され、搬送中の印刷媒体の有無を検出する媒体センサと、
前記媒体センサと前記制御回路とを接続する第三の接続ケーブルと、
を更に備え、前記ケーブルホルダは、前記第三の接続ケーブルを、前記第一のフレキシブルフラットケーブル及び前記電源ケーブルと分離して支持することを特徴とする請求項２〜６のいずれか一項に記載のプリンタ。
【請求項８】
前記他方の側に配置され、ファンを回転させて筐体内のミストを吸引するファンモータと、
前記ファンモータと前記制御回路とを接続する第四の接続ケーブルと、
を更に備え、前記ケーブルホルダは、前記第四の接続ケーブルを、前記第一のフレキシブルフラットケーブル及び前記電源ケーブルと分離して支持することを特徴とする請求項２〜７のいずれか一項に記載のプリンタ。
【請求項９】
印刷媒体を位置決めするためのプラテンであって、前記記録ヘッドとの間隔を変更可能なプラテンと、
前記他方の側に配置され、前記プラテンと前記記録ヘッドとの間隔を検出するプラテンギャップセンサと、
前記プラテンギャップセンサと前記制御回路とを接続する第五の接続ケーブルと、
を更に備え、前記ケーブルホルダは、前記第五の接続ケーブルを、前記第一のフレキシブルフラットケーブル及び前記電源ケーブルと分離して支持することを特徴とする請求項２〜８のいずれか一項に記載のプリンタ。
【発明の詳細な説明】
【技術分野】
【０００１】
本発明は、ケーブルホルダ及びそれを用いたプリンタに関する。
【背景技術】
【０００２】
一般にプリンタの筐体内には多くのケーブルが引き回されている。具体的には例えば、記録ヘッドと制御回路とを接続するフレキシブルフラットケーブル（ＦＦＣ）、電源部と制御回路とを接続する電源ケーブル、記録ヘッドを搭載したキャリッジを搬送するキャリッジモータと制御回路とを接続する接続ケーブル、紙送りモータと制御回路とを接続する接続ケーブルなどである。複数のケーブルが引き回されている場合、ケーブル間の電気的な影響によってケーブルを流れる信号にノイズが混入し、信号品質が低下する場合があるという問題がある。例えばＦＦＣと電源ケーブルとを近づけるとＦＦＣを流れる信号に電源ケーブルから漏れる電磁波の影響でノイズが混入し、安定したデータ転送が阻害される。
【０００３】
従来の多くのプリンタでは各部が制御回路の近くに配置され、制御回路と各部とを接続するケーブルは互いに異なる経路を辿るよう配線されている。このためケーブル間の影響は起き難かった。
【発明の開示】
【発明が解決しようとする課題】
【０００４】
しかしながら、設計上の都合によっては例えば制御回路がプリンタの前側に配置され、接続される各部が後側に配置される場合もある。この場合、ケーブル毎に配線経路を変えて引き回すよりも、各部から延びるケーブルをまとめて前側に引き回すようにする方が作業性がよい。しかしながら複数のケーブルが同じ経路を辿るようになるとケーブルが他のケーブルからの電気的な影響を受け易くなる。影響の少ないケーブル同士を紐状の部材で束ねて他の影響の大きいケーブルと分離し、両面テープでフレームに貼り付けたりするなどの方法によってその影響を低減することも可能であるが、しかしながら影響の少ないケーブル同士を複数の箇所で束ねたりそれを貼り付けたりする作業には手間がかかるため、コストが増大するという問題がある。
【０００５】
本発明は、かかる問題に鑑みて創作されたものであって、ケーブル間の電気的な影響を少ない手間で低減するケーブルホルダ及びそれを用いたプリンタを提供することを目的とする。
【課題を解決するための手段】
【０００６】
上記目的を達成するため、本発明に係るケーブルホルダは、板状に延びる本体と、前記本体に設けられ、複数のケーブルを分離して平行に支持する支持部と、を備えることを特徴とする。このケーブルホルダによると、電気的な影響が大きいケーブルを互いに分離して平行に支持させることにより、複数のケーブル間の電気的な影響を低減できる。また、このケーブルホルダによると、ケーブルホルダが一部材で形成されているため取り付ける作業が一度で済み、ケーブルホルダの取り付けの手間が少なくて済む。また、支持部が設けられているため作業者は支持部に支持させる作業を行えばよく、作業の手間を低減できる。よってこのケーブルホルダによると、ケーブル間の電気的な影響を少ない手間で低減できる。
【０００７】
上記目的を達成するため、本発明に係るプリンタは、請求項１に記載のケーブルホルダと、印刷媒体に画像を形成する記録ヘッドと、前記記録ヘッドを搭載するキャリッジと、前記キャリッジを摺動可能に支持する摺動軸と、前記摺動軸の軸方向に交差する方向の一方の側に配置される制御回路と、他方の側に配置される電源部と、一端が前記他方の側から前記記録ヘッドに接続され、他端が前記制御回路に接続されている第一のフレキシブルフラットケーブルと、前記電源部と前記制御回路とを接続する電源ケーブルと、を備え、前記ケーブルホルダは、前記第一のフレキシブルフラットケーブルと前記電源ケーブルとを分離して支持することを特徴とする。このプリンタによると、第一のフレキシブルフラットケーブルが電源ケーブルから受ける影響を少ない手間で低減できる。
【０００８】
さらに本発明に係るプリンタでは、前記制御回路は、リムーバブルメモリを読み書きするカード読み書き部が一体に設けられていることを特徴とする。このプリンタによると、制御回路とカード読み書き部とを接続するフレキシブルフラットケーブルが不要になるため、制御回路とカード読み書き部との間を流れる信号品質が他のケーブルの影響によって低下することを防止できる。
【０００９】
さらに本発明に係るプリンタでは、前記他方の側に配置され、前記キャリッジを搬送するキャリッジモータと、前記キャリッジモータと前記制御回路とを接続する第一の接続ケーブルと、を更に備え、前記ケーブルホルダは、前記第一の接続ケーブルを、前記第一のフレキシブルフラットケーブル及び前記電源ケーブルと分離して支持することを特徴とする。このプリンタによると、第一の接続ケーブルが第一のフレキシブルフラットケーブル及び電源ケーブルから受ける影響を少ない手間で低減でき、また第一のフレキシブルフラットケーブルが第一の接続ケーブルから受ける影響を少ない手間で低減できる。
【００１０】
さらに本発明に係るプリンタでは、印刷媒体を搬送するための紙送りローラと、前記他方の側に配置され、前記紙送りローラを回転させる紙送りモータと、前記紙送りモータと前記制御回路とを接続する第二の接続ケーブルと、を更に備え、前記ケーブルホルダは、前記第二の接続ケーブルを、前記第一のフレキシブルフラットケーブル及び前記電源ケーブルと分離して支持することを特徴とする。このプリンタによると、第二の接続ケーブルが第一のフレキシブルフラットケーブル及び電源ケーブルから受ける影響を少ない手間で低減でき、また第一のフレキシブルフラットケーブルが第二の接続ケーブルから受ける影響を少ない手間で低減できる。
【００１１】
さらに本発明に係るプリンタでは、前記紙送りモータによって搬送される印刷媒体の送り量を検出するエンコーダと、前記エンコーダと前記制御回路とを接続する第二のフレキシブルフラットケーブルと、を更に備え、前記ケーブルホルダは、前記第二のフレキシブルフラットケーブルを、他のケーブルと分離して支持することを特徴とする。このプリンタによると、第二のフレキシブルフラットケーブルが他のケーブルから受ける影響を少ない手間で低減でき、また他のケーブルが第二のフレキシブルフラットケーブルから受ける影響を少ない手間で低減できる。
【００１２】
さらに本発明に係るプリンタでは、前記他方の側に配置され、搬送中の印刷媒体の有無を検出する媒体センサと、前記媒体センサと前記制御回路とを接続する第三の接続ケーブルと、を更に備え、前記ケーブルホルダは、前記第三の接続ケーブルを、前記第一のフレキシブルフラットケーブル及び前記電源ケーブルと分離して支持することを特徴とする。このプリンタによると、第三の接続ケーブルが第一のフレキシブルフラットケーブル及び電源ケーブルから受ける影響を少ない手間で低減でき、また第一のフレキシブルフラットケーブルが第三の接続ケーブルから受ける影響を少ない手間で低減できる。
【００１３】
さらに本発明に係るプリンタでは、前記他方の側に配置され、ファンを回転させて筐体内のミストを吸引するファンモータと、前記ファンモータと前記制御回路とを接続する第四の接続ケーブルと、を更に備え、前記ケーブルホルダは、前記第四の接続ケーブルを、前記第一のフレキシブルフラットケーブル及び前記電源ケーブルと分離して支持することを特徴とする。このプリンタによると、第四の接続ケーブルが第一のフレキシブルフラットケーブル及び電源ケーブルから受ける影響を少ない手間で低減でき、また第一のフレキシブルフラットケーブルが第四の接続ケーブルから受ける影響を少ない手間で低減できる。
【００１４】
さらに本発明に係るプリンタでは、印刷媒体を位置決めするためのプラテンであって、前記記録ヘッドとの間隔を変更可能なプラテンと、前記他方の側に配置され、前記プラテンと前記記録ヘッドとの間隔を検出するプラテンギャップセンサと、前記プラテンギャップセンサと前記制御回路とを接続する第五の接続ケーブルと、を更に備え、前記ケーブルホルダは、前記第五の接続ケーブルを、前記第一のフレキシブルフラットケーブル及び前記電源ケーブルと分離して支持することを特徴とする。このプリンタによると、第五の接続ケーブルが第一のフレキシブルフラットケーブル及び電源ケーブルから受ける影響を少ない手間で低減でき、また第一のフレキシブルフラットケーブルが第五の接続ケーブルから受ける影響を少ない手間で低減できる。
【発明を実施するための最良の形態】
【００１５】
以下、本発明を実施するための最良の形態を実施例に基づいて説明する。
図２は、本発明の一実施例に係るプリンタ２を示す模式図である。
記録ヘッド１１は、キャリッジ１２に搭載され、インクを吐出するノズル１３、ピエゾ素子１４、インク通路１５、インクカートリッジ、ヘッド駆動部などを備える。ピエゾ素子１４はインクを導くインク通路１５の側壁に接する位置に設けられ、ヘッド駆動部から駆動電圧が印加されると急速に伸長してインク通路１５の側壁を変形させる。インク通路１５の体積はピエゾ素子１４の伸張に応じて収縮し、その収縮分に相当するインクがノズル１３から高速に吐出される。これにより記録ヘッド１１は印刷媒体に画像を印刷する。ヘッド駆動部は、制御回路３９から出力された印刷信号に基づいて駆動電圧をピエゾ素子１４に印加する回路である。
【００１６】
図３は、プリンタ２の構成を示すブロック図である。
主走査駆動部３０は、図２に示すプラテン１６の軸と平行に架設されキャリッジ１２を摺動可能に保持する摺動軸１７、キャリッジモータ１８、駆動ベルト１９、駆動回路などを備える。キャリッジモータ１８がキャリッジ１２を駆動ベルト１９で牽引することで記録ヘッド１１が摺動軸１７の軸方向（主走査方向Ｘ）に往復移動する。
【００１７】
副走査駆動部３１は、図２に示す紙送りモータ２０、紙送りモータ２０の回転をプラテン１６と図示しない紙送りローラとに伝達する歯車列、駆動回路などを備える。紙送りモータ２０がプラテン１６と図示しない紙送りローラとを回転させることで、主走査方向に交差する図２において紙面に垂直な方向（副走査方向）に印刷媒体が移動する。
【００１８】
ファンモータ３２は、筐体内に設けられたファンを回転させて筐体内のミストを吸引する。
媒体センサ３３は、印刷媒体の有無を検出するセンサである。媒体センサ３３は光センサと印刷媒体の進路上に設けられる可動部材とを備える。印刷媒体を搬送すると当該印刷媒体が可動部材を付勢し、光センサに入射する光が可動部材によって遮られる。光センサの出力信号は制御回路３９に出力され、制御回路３９は出力信号が小さくなることで搬送中の印刷媒体が有ると判断する。無い場合はその旨をユーザに通知して印刷媒体の補給を促す。
【００１９】
プラテンギャップ（ＰＧ）センサ３４は、印刷媒体を位置決めするためのプラテン１６と記録ヘッド１１との間隔を検出するセンサである。プリンタ２は後述するプラテンギャップ（ＰＧ）調整レバー５１によってその間隔を２段階で調節可能である。ＰＧセンサ３４は機械的にオン／オフされるスイッチを備え、ＰＧ調整レバー５１が一方の側に操作されると接点がオンになり、電気信号が制御回路３９に出力される。制御回路３９はＰＧセンサ３４のオン／オフに応じて現在選択されている位置をユーザに通知する。
【００２０】
エンコーダ３６は、紙送りモータ２０によって搬送される印刷媒体の送り量を検出するセンサである。エンコーダ３６は紙送りモータ２０によって回転する回転板５２（図５参照）と光センサとを備える。回転板５２には周方向に目盛が振られており、回転する回転板５２の目盛が光センサによって読み取られる。光センサの出力信号は制御回路３９に出力され、制御回路３９はその出力信号に基づいて送り量を判定する。
【００２１】
カード読み書き部３７は、リムーバブルメモリ３８を挿入するためのカードスロット５３（図１参照）、メモリコントローラなどを備える。カード読み書き部３７は制御回路３９によって制御され、印刷するディジタル画像をリムーバブルメモリ３８から読み込む処理などを行う。プリンタ２のカード読み書き部３７は制御回路３９と一体に設けられている。カード読み書き部３７を制御回路３９に一体に設けるとカード読み書き部３７と制御回路３９とを接続するためのフレキシブルフラットケーブル（ＦＦＣ）を不要にできる。このためＦＦＣ分のコストを低減できる上、ＦＦＣの引き回しが不要になるため、ＦＦＣを流れる信号にノイズが混入して信号品質が低下することを防止できる。
【００２２】
電源部３５は、交流電圧を直流電圧に変換するアダプタを介して商用交流電源に接続され、商用交流電源から供給される電力を制御回路３９や各部に供給する。
制御回路３９は、ＣＰＵ、ＲＯＭ及びＲＡＭを備えている。ＣＰＵはＲＯＭに記憶されたコンピュータプログラムを実行してプリンタ２の各部を制御する。ＲＯＭは各種のプログラムやデータを記憶しているメモリであり、ＲＡＭは各種のプログラムやデータを一時的に記憶するメモリである。これら各種のプログラムやデータは所定のサーバからネットワークを介してダウンロードして入力してもよいし、リムーバブルメモリ３８等のコンピュータ読み取り可能な記憶媒体から読み出して入力してもよい。
【００２３】
次に、各部の配置について説明する。
図４は、上述した各部を収容する筐体を取り外した状態のプリンタ２の上面図である。尚、図４では紙送りモータ２０及びファンモータ３２を省略して示している。制御回路３９にはカード読み書き部３７が一体に設けられているため、制御回路３９はリムーバブルメモリ３８の脱着が容易になるよう前側に配置されることが望ましい。このためプリンタ２では制御回路３９は前側に配置されている。ここで前側とは、摺動軸１７の軸方向に交差する方向Ａ及び方向Ｂのうち、方向Ａの側のことをいう。記録ヘッド１１は方向Ｂの側から第一のＦＦＣ８１（図１参照）の一端に接続され、第一のＦＦＣ８１の他端は制御回路３９に接続されている。媒体センサ３３を構成する光センサは方向Ｂの側でＡＳＦユニット５４と摺動軸１７との間に配置されており、第三の接続ケーブル８５（図６参照）で制御回路３９に接続されている。ＡＳＦユニット５４には印刷媒体が図４において左側に位置決めして保持されるものとする。媒体センサ３３を構成する可動部材は印刷媒体の進路上であってＡＳＦユニット５４の左側近傍の領域Ｆに配置されている。可動部材をＡＳＦの左側に配置すると、最小サイズの印刷媒体から最大サイズの印刷媒体までを一つの媒体センサ３３で検出できる。ＰＧ調整レバー５１は記録ヘッド１１の移動領域の周囲を囲むメインフレーム５５の図４において左側に配置されている。ＰＧセンサ３４はメインフレーム５５で囲まれている領域のうち領域Ｅで示す位置に配置されており、第五の接続ケーブル８７（図６参照）で制御回路３９に接続されている。
【００２４】
図５はプリンタ２を図４に示すＣ方向から示す斜視図であり、図６はＤ方向から示す斜視図である。電源部３５は方向Ｂの側でオートシートフィーダ（ＡＳＦ）ユニット５４の下方に配置されており、電源ケーブル８２によって制御回路３９に接続されている。キャリッジモータ１８は方向Ｂの側で摺動軸１７の一方の端部近傍に配置されており、第一の接続ケーブル８３で制御回路３９に接続されている。紙送りモータ２０は方向Ｂの側でキャリッジモータ１８の下方に配置されており、第二の接続ケーブル８４で制御回路３９に接続されている。ファンモータ３２はＡＳＦユニット５４の下方で電源部３５の隣に配置されており、第四の接続ケーブル８６で制御回路３９に接続されている。エンコーダ３６を構成する回転板５２は紙送りモータ２０の回転力をプラテン１６と紙送りローラとに伝達する伝達歯車５６に設けられており、伝達歯車５６と同心回転する。伝達歯車５６を挟んで回転板５２とは逆側の位置であって回転板５２の目盛を読み取り可能な位置にエンコーダ３６を構成する光センサが配置されており、光センサは第二のＦＦＣ８８で制御回路３９に接続されている。従ってプリンタ２では、第一のＦＦＣ８１、第二のＦＦＣ８８、電源ケーブル８２、及び第一の接続ケーブル８３〜第五の接続ケーブル８７が後側から前側に引き回されている。
【００２５】
次に、ケーブルホルダについて説明する。
図１は、プリンタ２内の複数のケーブルを分離して平行に支持している状態のケーブルホルダ１を示す斜視図である。尚、図１では理解を容易にするため第一の接続ケーブル８３〜第五の接続ケーブル８７、及び電源ケーブル８２については省略して示している。ケーブルホルダ１は、板状に形成されたホルダ本体６０と、ホルダ本体６０に設けられ、複数のケーブルを分離して平行に支持する支持部とを備える。支持部は形状の異なる複数の支持片としてホルダ本体に設けられている。ホルダ本体６０はメインフレーム５５の互いに離間した２点間を橋渡しするように架設されている。本実施例のケーブルホルダ１は複数のケーブルを４つに分離して支持するよう構成されており、第一のＦＦＣ８１は複数の支持片９１によって図１において最上段に支持されている。第一の接続ケーブル８３〜第五の接続ケーブル８７間の影響は無視できる程度であるため、第一の接続ケーブル８３〜第五の接続ケーブル８７はまとめて、複数の支持片９２及び複数の支持片９３によって上から２番目の段に第一のＦＦＣ８１と平行に且つ第一のＦＦＣ８１に接触することなく支持されている。尚、第一の接続ケーブル８３〜第五の接続ケーブル８７についても互いに分離して支持するようにしてもよい。電源ケーブル８２は、複数の支持片９３、複数の支持片９４及び複数の支持片９６によって上から３番目の段に上述した各ケーブルに平行に且つ接触することなく支持されている。第二のＦＦＣ８８は、ホルダ本体６０から垂直に壁状に延びる複数の支持片９４の下側を向く面と２つの支持片９５の上側を向く面とで挟まれて支持片９４に沿うように支持されている。
【００２６】
尚、各段の間を全て壁で完全に仕切ることによって互いに接触しないよう支持してもよい。また、本実施例では設計上の都合により電源ケーブル８２を３番目の段で支持しているが、電源ケーブル８２と第一のＦＦＣ８１とは可能な限り離間していることが望しいため、電源ケーブル８２と第二のＦＦＣ８８との位置を入れ替えるようにしてもよい。また、ホルダ本体６０はこれらのケーブルを案内する経路に応じて湾曲していたり折れ曲がっていたりしてもよい。
【００２７】
以上説明した本発明の一実施例に係るケーブルホルダ１は、一部材で形成されているため取り付ける作業が一度で済み、取り付けの手間が少なくて済む。また、ケーブルホルダ１は、支持部が設けられているため作業者は支持部に支持させる作業を行えばよく、影響の少ないケーブル同士を複数の箇所で束ねたりそれを貼り付けたりする場合に比べて作業の手間を低減できる。また、電気的な影響が大きいケーブル、具体的には第一のＦＦＣ８１、電源ケーブル８２、第一の接続ケーブル８３〜第五の接続ケーブル８７、及び第二のＦＦＣ８８を互いに分離して平行に支持させることにより、ケーブル間の電気的な影響を低減できる。よってケーブルホルダ１によると、ケーブル間の電気的な影響を少ない手間で低減できる。
【００２８】
尚、本実施例では複数のケーブルを４つに分類するケーブルホルダ１を例に説明したが、ケーブルホルダはケーブルの特性に応じて複数のケーブルを任意の数に分離して支持してよい。また、全てのケーブルを一つづつ分離して支持するようにしてもよい。
【図面の簡単な説明】
【００２９】
【図１】本発明の一実施例に係るケーブルホルダを示す斜視図。
【図２】本発明の一実施例に係るプリンタの模式図。
【図３】本発明の一実施例に係るプリンタのブロック図。
【図４】本発明の一実施例に係るプリンタの筐体を外した状態の上面図。
【図５】本発明の一実施例に係るプリンタの筐体を外した状態の斜視図。
【図６】本発明の一実施例に係るプリンタの筐体を外した状態の斜視図。
【符号の説明】
【００３０】
１  ケーブルホルダ、２  プリンタ、１１  記録ヘッド、１２  キャリッジ、１６  プラテン、１７  摺動軸、１８  キャリッジモータ、２０  紙送りモータ、３２  ファンモータ、３３  媒体センサ、３４  プラテンギャップセンサ、３５  電源部、３６  エンコーダ、３７  カード読み書き部、３８  リムーバブルメモリ、３９  制御回路、６０  ホルダ本体、８１  第一のフレキシブルフラットケーブル、８２  電源ケーブル、８３  第一の接続ケーブル、８４  第二の接続ケーブル、８５  第三の接続ケーブル、８６  第四の接続ケーブル、８７  第五の接続ケーブル、８８  第二のフレキシブルフラットケーブル、９１、９２、９３、９４、９５、９６  支持片（支持部）
【図１】
2005125559.tif 000003
【図２】
2005125559.tif 000004
【図３】
2005125559.tif 000005
【図４】
2005125559.tif 000006
【図５】
2005125559.tif 000007
【図６】
2005125559.tif 000008